(57)【要約】      （修正有）【課題】タクシーの運転手の安全を確保すると共に、後部座席の乗客へ快適な映像視聴環境を提供する、コンパクトな構造で取扱の簡便な、タクシー運転席防犯用の装置を提供する。【解決手段】タクシー運転席防犯用パネル１は、タクシーの運転席の背凭れＳの上方に配設されて、運転席を後部座席から遮蔽するガード部２と、ガード部２から助手席側に伸長して後部座席に対面する平板状の伸長部３とから成り、ガード部２が、ガード部２を、運転席における背凭れＳの上方部分に固定する結合手段９を、ガード部２の下部に備え、伸長部３に画像表示装置４が、その画像表示部を伸長部３の背面側に向けて設置されていることを特徴とする。【選択図】図１
0003139533.tif 000002
【実用新案登録請求の範囲】
【請求項１】
タクシーの運転席の背凭れの上方に配設されて、前記運転席を後部座席から遮蔽するガード部と、このガード部から前記運転席の隣の助手席側に伸長して後部座席に対面する平板状の伸長部とから成るタクシー運転席防犯用のパネルであって、
前記ガード部が、当該ガード部を、前記運転席における前記背凭れの上方部分に固定する結合手段を、当該ガード部の下部に備え、
前記伸長部に、画像表示装置が、その画像表示部を当該伸長部の背面側に向けて設置されていることを特徴とする、画像表示装置付のタクシー運転席防犯用パネル。
【請求項２】
前記ガード部と前記伸長部とが、下方にかけて広がる一枚の略台形の平板形状に一体形成されて成り、
前記ガード部が、その中央部に、前記運転席のヘッドレストを嵌込可能な形状の刳り抜きを有し、
前記伸長部が、その中央部に、当該伸長部の前面側に陥没する凹みを有し、この凹みが前記画像表示装置より一回り大きく形成されており、かつ、当該凹みの壁部に、前記画像表示装置の付属コード類を挿通するための少なくとも１つの切欠を有し、この凹みに前記画像表示装置を埋設し得、かつ、
前記結合手段が、前記ガード部の前記刳り抜きの下方に設けられた少なくとも一対の孔であり、この孔に、前記ガード部と前記運転席とを連結する連結手段を貫通して、前記ガード部を前記運転席に固定できることを特徴とする請求項１に記載のタクシー運転席防犯用パネル。
【請求項３】
前記ガード部の前面における、前記刳り抜きの左右の側縁の外側部分が部分的に突出して左右一対の突出部を形成しており、これら一対の突出部で前記運転席のヘッドレストを安定に支持できることを特徴とする請求項２に記載のタクシー運転席防犯用パネル。
【請求項４】
前記伸長部の下縁部に、料金の授受を容易にするための切欠部が形成されていることを特徴とする請求項１〜３のいずれか１項に記載のタクシー運転席防犯用パネル。
【請求項５】
前記タクシーが、運転席の背凭れと助手席の背凭れが分離しており、これら背凭れの間に間隙があるタイプのものであり、
前記伸長部が、その下方に、前記ガード部の下端よりも下方に延出する平板状の延出部を有し、この延出部が、前記間隙に収まる形状を有し、この延出部で当該間隙を閉塞できることを特徴とする請求項１〜３のいずれか１項に記載のタクシー運転席防犯用装置。
【請求項６】
前記ガード部の上端、当該ガード部の、前記助手席と反対側の側端、前記伸長部の上端、および前記伸長部の、前記運転席と反対側の側端の少なくともいずれかの端に、前記防犯用パネルの前面側に屈曲する屈曲部が設けられていることを特徴とする請求項１〜５のいずれか１項に記載のタクシー運転席防犯用パネル。
【考案の詳細な説明】
【技術分野】
【０００１】
本考案は、タクシーの運転席の背凭れの上方に配設されて、運転席を後部座席から遮蔽して、運転手の安全を確保する防犯用のパネルに関する。
【背景技術】
【０００２】
タクシーの後部座席からの襲撃等から運転手を防御するために、例えば、特開２０００−２１１４５７号や特開２００３−３００４４５号に開示されたもの等、種々のタクシー運転席の防犯用装置が開発されている。
しかし、かかる防犯用装置において、後部座席の乗客を退屈させない配慮も為した防犯用装置は、未だ開発されていない。
【考案の開示】
【考案が解決しようとする課題】
【０００３】
そこで、本考案は、タクシーの運転手の安全を確保すると共に、後部座席の乗客へ快適な映像視聴環境を提供する、コンパクトな構造で取扱の簡便な、タクシー運転席防犯用の装置を提供することを課題とする。
【課題を解決するための手段】
【０００４】
即ち、本考案のタクシー運転席防犯用パネルは、タクシーの運転席の背凭れの上方に配設されて、前記運転席を後部座席から遮蔽するガード部と、このガード部から前記運転席の隣の助手席側に伸長して後部座席に対面する平板状の伸長部とから成り、前記ガード部が、当該ガード部を、前記運転席における前記背凭れの上方部分に固定する結合手段を、当該ガード部の下部に備え、前記伸長部に、画像表示装置が、その画像表示部を当該伸長部の背面側に向けて設置されていることを特徴とする。
【０００５】
本考案の防犯用パネルは、前記ガード部と前記伸長部とで、タクシーの運転席を後部座席から確実に遮蔽でき、かつ、前記伸長部に設けられた画像表示装置により、後部座席の乗客が、前記画像表示装置でＴＶやインターネット等を楽しむことができるものである。
本考案の防犯用パネルは、前記画像表示装置を、運転席のヘッドレストと助手席のヘッドレストの間の間隙に配設される前記伸長部に設けることにより、画像表示装置の画像表示部を後部座席側へ突出させずに当該画像表示装置を配設でき、後部座席の乗客にとって快適な映像視聴距離を確保できる。また、本考案の防犯用パネルは、前記ガード部の下部に結合手段を備え、これにてタクシーの運転席の背凭れの上方に配設されるコンパクトな形態を有し、取扱い簡便にして安定かつ確実に設置できるものである。
【０００６】
本考案の防犯用パネルは、全体的に合成樹脂材から成り、運転手が乗客から全く見えないのでは、運転手と乗客の間でコミュニケーションを取れなくなる虞があるため、透明または半透明の合成樹脂材から成ることが好ましい。
前記ガード部は、運転席の背凭れの上方の空間に収まって、当該運転席を後部座席から遮蔽し得る種々の形状を有し、全面的に平な平板状のものであっても、前記運転席のヘッドレストに沿う形状に一部が後部座席側へ突出した形状のものであってもよく、また、その中央部に、運転座席のヘッドレストを嵌込可能な種々の形状の刳り抜きを有してもよい。より高い安全性を確保する観点からは、かかるガード部は、当該ガード部を運転席に設置した際に、その上端が天井に接近する高さ幅を有することが好ましく、また、その助手席と反対側の端がタクシーの側壁に接近する横幅を有することが好ましい。前記ガード部の下部に設けられる前記結合手段は、それ自体であるいは適宜他の連結手段を用いて、本考案の防犯用パネルを安定に運転席に固定できるあらゆる態様のものであり、例えば、前記ガード部の下部に設けられた孔、前記ガード部の下部を貫通するボルト、螺子、釘等であってよく、安定性の観点から、前記ガード部の下部に、好ましくは略左右対称位置で少なくとも１対設けられることが好ましい。前記ガード部は、例えば、当該ガード部の下部と、当該運転席のヘッドレストと背凭れの間の部分とが、かかる結合手段により連結固定される。
【０００７】
前記伸長部は、運転席のヘッドレストと助手席のヘッドレストの間の間隙を塞いで、かかる間隙からの襲撃から運転席を防御するものであり、前記間隙より若干小さく形成されて、当該間隙にぴたりと収まるものが好ましく、適宜、料金を授受するための、ないし料金の授受を容易にするための切欠部を有してよい。
【０００８】
また、運転席の背凭れと助手席の背凭れが分離しており、その間に間隙があるタイプのタクシーのための本考案の防犯用パネルにおいては、運転席の背凭れと助手席の背凭れの間の間隙からの襲撃から運転席を防御するため、前記伸長部の下方に、前記ガード部の下端より下方に延出する延出部を設けてよく、かかる延出部は、例えば、前記伸長部から連続して、前記間隙にぴたりと収まる平板形状のものである。かかるタイプのタクシーのための防犯用パネルにおいては、料金の授受を行うための切欠部を前記延出部に設けてもよい。
【０００９】
本明細書中、前記画像表示装置は、テレビやコンピュータ等のディスプレイを含む、画像を表示可能なあらゆる装置を意味する。かかる画像表示装置は、当該画像表示装置の画像表示部と後部座席の乗客との間の距離が接近し過ぎないよう、前記伸長部の背面から前記後部座席側に突出しないように前記伸長部に設置されることが好ましく、適宜公知の接着手段を用いて、安定に前記伸長部に固定されることが好ましい。例えば、前記伸長部に、当該伸長部の前面側に陥没する凹部を設け、この凹部の壁部に、前記画像表示装置に付属するコード類を挿通するための少なくとも１つの切欠を設けることで、前記画像表示装置が厚みのあるものであっても、当該画像表示装置を、前記伸長部の背面から前記後部座席側に突出しないように埋設できる。また、前記画像表示装置が非常に柔軟なシート状のディスプレイである場合は、例えば透明板から成る前記伸長部の前面にこれを、画像表示部を当該伸長部の背面側に向けて公知手段を用いて貼り付けることができる。かかる画像表示装置は、運転手の邪魔にならぬよう、前記伸長部において、運転席のヘッドレストから適宜間隔を空けて設置されてよい。
【００１０】
運転席の安全性をいっそう高めるために、前記ガード部の上端、前記ガード部の助手席と反対側の側端、前記伸長部の上端、および前記伸長部の、前記運転席と反対側の側端の少なくともいずれかの端に、前記防犯用パネルの前面側に屈曲する屈曲部を設けてよい。かかる屈曲部は、前記ガード部ないし前記伸長部に一体形成されてよい。
【考案の効果】
【００１１】
本考案によれば、タクシーの運転席の後部座席からの安全を確保しつつ、後部座席の乗客に快適な映像視聴環境を提供する配慮を為した、非常にコンパクトな形態で取扱いが容易なタクシー運転席の防犯用パネルが提供される。
【実施例】
【００１２】
以下の実施例により、本考案の好ましい態様を説明するが、かかる実施例は本考案を説明するためのものであって、本考案を限定するものではない。
図１Ａに、実施例１の防犯用パネル１の使用状態図を、図１Ｂに、画像表示装置４を取り外した状態の同防犯用パネル１の背面図を、図２Ａに、画像表示装置４を取り外した状態の同防犯用パネル１の正面図を、図２Ｂに、画像表示装置４を取り外した状態の同防犯用パネル１の左側面図を示す。図３に、画像表示装置を取り外した状態の実施例２の防犯用パネル１'の背面図を示す。
【００１３】
[実施例１]
図１Ａ〜図２Ｂに示す本実施例のタクシー運転席の防犯用パネル１は、運転手の背凭れと助手席の背凭れが連続しているベンチシート型タクシー、および、運転席の背凭れと助手席の背凭れが分離しており、その間に間隙があるセパレート型タクシーのいずれにも使用できるものであり、全体的に透明の合成樹脂から成る。詳しくは、本実施例の防犯用パネル１は、運転席の背凭れＳの上方に配設されて、運転席を後部座席から遮蔽するガード部２と、ガード部２から助手席のヘッドレストＨ’の近傍まで伸長して後部座席に対面する伸長部３とから成り、ガード部２と伸長部３とが、下方にかけて広がる一枚の略台形の平板状に一体化しており、伸長部３に画像表示装置４（７インチの液晶ディスプレイ）が設置されて成る。ガード部２は、中央部に、運転席のヘッドレストＨを嵌込可能な略長方形状の刳り抜き８を有し、刳り抜き８の下部に二対の孔９を有し、各孔９に、後部座席側からボルトを挿入し、前部座席側から当該ボルトの先端部に、対応するナットを嵌合することで、簡単に、ガード部２をその下部にてロッドＬ（運転席の背凭れＳの上部に設置されてヘッドレストＨを支持するもの）に連結固定できるようになっている。伸長部３の下縁には切欠部７が形成されており、この下方で料金の授受を容易に行うことができる。
【００１４】
ガード部２は、また、その前面における、刳り抜き８の左右の側縁の外側部分が部分的に突出して左右一対の突出部１０を形成して成り、刳り抜き８にヘッドレストＨを嵌込んだ状態で、一対の突出部１０でヘッドレストＨを安定に支持できるようになっている。また、本実施例では、ガード部２の背面の、刳り抜き８の下縁の外側部分が突出して突出部１１を形成しており、孔９に挿通されるボルトを遮蔽する。
【００１５】
伸長部３には、その中央部に、画像表示装置４より若干大きく形成された凹み１２が形成されており、この凹み１２には、画像表示装置４と外部の電源とを繋ぐ接続コードやケーブル等の付属コード類を挿通するための切欠１３と開口１４とが、各々奥壁１５の上方と中央部に設けられている。かかる構成により、この凹み１２に画像表示装置４を、画像表示部を伸長部３の背面側に向けて埋設でき、画像表示部と後部座席の乗客の間に快適な映像視聴距離を確保できる。なお、本実施例では、凹み１２の外側両側部に、凹み１２を支持するための左右一対の突出１６が形成されている。
【００１６】
本実施例では、ガード部２の上端５、ガード部２の助手席と反対側の側端１７、伸長部３の上端６および伸長部３の、運転席と反対側の側端１８に、ガード部２および伸長部３の前面（正面）に対して約60℃で前部座席側へ屈曲する屈曲部２３が設けられており、運転席の安全が高められている。
【００１７】
[実施例２]
図３に示す本実施例のタクシー運転席の防犯用パネル１’は、セパレート型タクシー用のものであり、伸長部３の下方に平板状の延出部１９を設けたことを除き、実施例１の防犯用パネル１と同じ構成から成る。
延出部１９は、ガード部２を運転席に取り付けた際に、運転席の背凭れＳと助手席の背凭れＳ'の間の間隙２０に収まるように、かつ、延出部１９の下縁２１が、タクシーのセンターコンソール２２の上面との間に10cm程度の間隔が空くように形成されており、間隙２０からの襲撃を防御する。本実施例の防犯用パネル１’は、延出部１９とセンターコンソール２２の間から料金の授受を容易に行うことができる。
【図面の簡単な説明】
【００１８】
【図１】図１は実施例１の防犯用パネルを示す図であり、Ａは防犯用パネルの使用状態を示す図であり、Ｂは画像表示装置を取り外した状態の同防犯用パネルの背面図である。
【図２】図２は画像表示装置を取り外した状態の実施例１の防犯用パネルを示す図であり、Ａは同防犯用パネルの正面図であり、Ｂは同防犯用パネルの左側面図である。
【図３】図３は画像表示装置を取り外した状態の実施例２の防犯用パネルの背面図である。
【符号の説明】
【００１９】
１、１'  タクシーの運転席防犯用パネル
２  ガード部
３  伸長部
４  画像表示装置
５  ガード部の上端
６  伸長部の上端
７  切欠部
８  刳り抜き
９  結合手段（孔）
１０、１１  突出部
１２  凹み
１３  切欠
１４  開口
１５  奥壁
１６  突出
１７  ガード部の側端
１８  伸長部の側端
１９  延出部
２０  運転席と助手席の間の間隙
２１  延出部の下縁
２２  センターコンソール
２３  屈曲部
Ｈ  運転席のヘッドレスト
Ｈ’  助手席のヘッドレスト
Ｌ  ロッド
Ｓ、Ｓ'  背凭れ
【図１】
0003139533.tif 000003
【図２】
0003139533.tif 000004
【図３】
0003139533.tif 000005